(57)【特許請求の範囲】
【請求項１】
小屋裏の空気を外に排出する小屋裏換気用の屋根排気塔が備えられると共に、室内空気排出用のファンとダクトが備えられ、
前記屋根排気塔内に、ダクト接続用筒状部を備えたアダプターが、該筒状部を上下方向に向けるようにして設けられ、該アダプターの筒状部に前記ダクトが小屋裏を通じて接続されており、前記ファンを駆動することにより、室内の空気が、前記ダクトを通じて屋根排気塔内に送り込まれ、該屋根排気塔内の天井面部で側方に向きを変え、屋根排気塔の側面部に設けられた排気口を通じて外に排出されて、室内の空気が排出されるようになされており、かつ、
前記アダプターの接続用筒状部には、該筒状部の外周面部と排気塔内の排気通路を囲む内壁面部とで囲まれた小屋裏換気用通路のがわに、該通路の面積の一部を遮るように側方に張り出す水平板部が設けられ、前記ファンの駆動による室内空気排出時、ダクトを通じて排出される室内空気が屋根排気塔内から小屋裏のがわに送り込まれるのを、前記張出し水平板部が抑制ないしは阻止するようになされていると共に、前記ファンを駆動していない時、小屋裏の空気は、自然換気により、前記小屋裏換気用通路のうち、張出し水平板部で遮られていない部分を通じて、屋根排気塔内を通過し、外に排出されるようになされていることを特徴とする、小屋裏換気用の屋根排気塔を利用した室内空気排出システム。
【請求項２】
前記アダプターに、屋根排気塔内の内壁面がわに掛止される取付け用掛止部が備えられると共に、前記屋根排気塔内の内壁面で囲まれた排気通路が平面視方形状をしており、
該アダプターは、小屋裏がわからのアクセスにより、取付け用掛止部を屋根排気塔内の排気通路の隅部に位置させながら上昇させ、回転変位させることにより、取付け用掛止部が屋根排気塔内の内壁面がわに進出して該内壁面がわに掛止され、取付け状態を形成している請求項１に記載の、小屋裏換気用の屋根排気塔を利用した室内空気排出システム。
【発明の詳細な説明】
【技術分野】
【０００１】
本発明は、小屋裏換気用の屋根排気塔を利用した室内空気排出システムに関する。
【背景技術】
【０００２】
小屋裏の空気を外に排出する小屋裏換気用の屋根排気塔を利用し、該屋根排気塔内にダクトの一端を配置すると共に、該ダクトの他端を小屋裏を通じて室の天井部に接続し、屋根排気塔を小屋裏換気に使用しつつ、室内の空気をダクトを通じて屋根排気塔から外に排出するようにした換気システムは、従来より知られている。
【先行技術文献】
【特許文献】
【０００３】
【特許文献１】特開２００２−２６６４４３号公報
【発明の概要】
【発明が解決しようとする課題】
【０００４】
しかしながら、屋根排気塔から排出しようとする室内の空気が、夏期日中の窓を開けられない外出時の室内の高温の空気であるような場合は、帰宅後、窓を開け放ち、室内の高温の空気を、ファンを強にして勢いよくダクトに送り込んでいく必要があるが、そのようにすると、ダクトを通じて屋根排気塔内に送り込まれ、該屋根排気塔内の天井面部で側方に向きを変えた空気の一部が、屋根排気塔の側面部に設けられた排気口を通じて外に排出されることなく、小屋裏のがわに送り込まれて、小屋裏の湿度を上昇させてしまうという問題を生じる。
【０００５】
夏期の就寝時に、エアコンに頼らず、外の空気を室内に積極的に呼び込むため、室内の高温の空気を、ファンを強にして勢いよくダクトに送り込んだ場合も同様に、室内の空気の一部が小屋裏のがわに送り込まれてしまいやすい。
【０００６】
また、従来のシステム構成では、屋根排気塔内でのダクト端部の固定が施工上非常に厄介であると共に、既設の屋根排気塔内にダクトの端部を固定するのも容易でないという問題もあった。
【０００７】
本発明は、上記のような問題点に鑑み、ファンを強にして勢いよくダクトに送り込んだ室内の空気が小屋裏のがわに送り込まれてしまうのを効果的に抑制ないしは阻止することができ、しかも、それを、簡素な構成によって、施工容易に実現することができ、また、屋根排気塔が既設のものであるか否かを問わず該屋根排気塔内でのダクト端部の固定を容易にすることができる、小屋裏換気用の屋根排気塔を利用した室内空気排出システムを提供することも課題とする。
【課題を解決するための手段】
【０００８】
上記の課題は、小屋裏の空気を外に排出する小屋裏換気用の屋根排気塔が備えられると共に、室内空気排出用のファンとダクトが備えられ、
前記屋根排気塔内に、ダクト接続用筒状部を備えたアダプターが、該筒状部を上下方向に向けるようにして設けられ、該アダプターの筒状部に前記ダクトが小屋裏を通じて接続されており、前記ファンを駆動することにより、室内の空気が、前記ダクトを通じて屋根排気塔内に送り込まれ、該屋根排気塔内の天井面部で側方に向きを変え、屋根排気塔の側面部に設けられた排気口を通じて外に排出されて、室内の空気が排出されるようになされており、かつ、
前記アダプターの接続用筒状部には、該筒状部の外周面部と排気塔内の排気通路を囲む内壁面部とで囲まれた小屋裏換気用通路のがわに、該通路の面積の一部を遮るように側方に張り出す水平板部が設けられ、前記ファンの駆動による室内空気排出時、ダクトを通じて排出される室内空気が屋根排気塔内から小屋裏のがわに送り込まれるのを、前記張出し水平板部が抑制ないしは阻止するようになされていると共に、前記ファンを駆動していない時、小屋裏の空気は、自然換気により、前記小屋裏換気用通路のうち、張出し水平板部で遮られていない部分を通じて、屋根排気塔内を通過し、外に排出されるようになされていることを特徴とする、小屋裏換気用の屋根排気塔を利用した室内空気排出システムによって解決される（第１発明）。
【０００９】
このシステムでは、アダプターの接続用筒状部に、上記のような態様の張出し水平板部が設けられ、前記ファンの駆動による室内空気排出時、ダクトを通じて排出される室内空気が屋根排気塔内から小屋裏のがわに送り込まれるのを、前記張出し水平板部が抑制ないしは阻止するようになされているので、室内空気を、ファンを強にして勢いよくダクトに送り込んでも、その室内空気が小屋裏のがわに送り込まれてしまうのを効果的に抑制ないしは阻止することができる。
【００１０】
しかも、屋根排気塔内でのダクト端部の固定のため、ダクト接続用筒状部を備えたアダプターを採用し、このアダプターの接続用筒状部に張出し水平板部を設けた構成としていて、アダプターに、屋根排気塔内でのダクト端部の固定と、張出し水平板部の形成の両方の役割をもたせた構成としているので、室内空気が小屋裏のがわに送り込まれてしまうのを、簡素な構成によって抑制ないしは阻止することができ、また、アダプターを屋根排気塔内に設置すれば、同時に、屋根排気塔内に張出し水平板部が形成されて、張出し水平板部の形成を施工容易に行うことができる。
【００１１】
第１発明において、前記アダプターに、屋根排気塔内の内壁面がわに掛止される取付け用掛止部が備えられると共に、前記屋根排気塔内の内壁面で囲まれた排気通路が平面視方形状をしており、
該アダプターは、小屋裏がわからのアクセスにより、取付け用掛止部を屋根排気塔内の排気通路の隅部に位置させながら上昇させ、回転変位させることにより、取付け用掛止部が屋根排気塔内の内壁面がわに進出して該内壁面がわに掛止され、取付け状態を形成しているとよい（第２発明）。
【００１２】
これによれば、屋根排気塔内へのアダプターの取付け設置を、小屋裏がわからのアクセスにより、施工容易に行うことができ、ひいては、かかるアダプターを用いて、屋根排気塔が既設のものであるか否かを問わず、該屋根排気塔内でのダクト端部の固定を容易にすることができる。
【発明の効果】
【００１３】
本発明は、以上のとおりのものであるから、ファンを強にして勢いよくダクトに送り込んだ室内の空気が小屋裏のがわに送り込まれてしまうのを効果的に抑制ないしは阻止することができ、しかも、それを、簡素な構成によって、施工容易に実現することができる。また、屋根排気塔が既設のものであるか否かを問わず該屋根排気塔内でのダクト端部の固定を容易にすることができる。
【図面の簡単な説明】
【００１４】
【図１】図（イ）は実施形態のシステムの全体構成を示す正面図、図（ロ）は屋根排気塔内を示す正面図、図（ハ）はアダプターの取付け状態を示す平面図、図（ニ）はファンの駆動制御の方法を示すグラフ図である。
【図２】図（イ）〜図（ハ）は、アダプター等の取付け方法を示す正面図、平面図である。
【図３】図（イ）及び（ロ）は、室内排熱時の運転状態を示す正面図及び要部拡大正面図である。
【図４】図（イ）及び（ロ）は、通常時の小屋裏換気状態を示す正面図及び要部拡大正面図である。
【発明を実施するための形態】
【００１５】
次に、本発明の実施形態を図面に基づいて説明する。
【００１６】
図１（イ）（ロ）に示す実施形態のシステムにおいて、１は屋根排気塔であり、小屋裏３の空気は、該屋根排気塔１と軒下換気口２との組み合わせで、自然換気によって、屋根排気塔１を通じて、外に排出されるようになされている。
【００１７】
また、小屋裏３の下の室４の天井部には、室内空気排出用の空気吸込口５が設けられ、該空気吸込口５と屋根排気塔１とが、小屋裏３を通じてダクト６で接続され、ファン７を駆動することにより、室４内の空気が、吸込口５からダクト６を通じて屋根排気塔１内に送り込まれ、屋根排気塔１内の天井面部１ａで側方に向きを変え、屋根排気塔１の側面部に設けられた排気口１ｂを通じて外に排出されるようになされている。
【００１８】
屋根排気塔１内においてダクト６の端部を固定するため、屋根排気塔１内には、ダクト接続用筒状部８ａを備えたアダプター８が、該筒状部８ａを上下方向に向けるようにして設けられ、該アダプター８の筒状部８ａにダクト６の端部が外嵌め状態にされ、図示しないビスやテープでアダプター８に止め付けられることで、ダクト６の端部がアダプター８の筒状部８ａに接続されている。
【００１９】
アダプター８の接続用筒状部８ａの上端がわには、図１（ロ）（ハ）に示すように、該筒状部８ａの外周面部と、排気塔１内の排気通路１ｃを囲む内壁面部１ｄとで囲まれた小屋裏換気用通路１ｅのがわに、該通路１ｅの面積の一部を遮るように側方に張り出す水平板部８ｂが設けられ、ファン７の駆動による室内空気排出時、ダクト６を通じて排出される室内空気が屋根排気塔１内から小屋裏３のがわに送り込まれるのを、張出し水平板部８ｂが抑制ないしは阻止するようになされていると共に、ファン７を駆動していない時、小屋裏の空気は、自然換気により、前記小屋裏換気用通路１ｅのうち、張出し水平板部８ｂで遮られていない部分を通じて、屋根排気塔１内を通過し、外に排出されるようになされている。
【００２０】
そして、アダプター８を屋根排気塔１内に保持状態に取り付けるため、アダプター８の張出し水平板部８ｂには、該水平板部８ｂから放射方向外方に延長する取付け用掛止部としての掛止板部８ｃが、周方向に４つ、互いに間隔をおいて設けられ、屋根排気塔１内の内壁面部１ｄで囲まれた排気通路１ｃが平面視方形状をしていることを利用し、アダプター８は、図２（イ）（ロ）及び図１（ハ）に示すように、小屋裏がわからのアクセスにより、掛止板部８ｃ…を屋根排気塔１内の排気通路１ｃの四隅に位置させながら上昇させ、回転変位させることにより、各掛止板部８ｃ…が屋根排気塔１内の内壁面１ｄのがわに進出して該内壁面１ｄのがわに掛止され、取付け状態を形成することができるようになされている。各掛止板部８ｃ…の先端部に鉤部８ｄを備えさせておけば、アダプター８が回って外れてしまうのを防ぐことができる。
【００２１】
なお、各掛止板部８ｃ…の掛止される屋根排気塔１内の内壁面１ｄのがわは、例えば、屋根排気塔１の内壁を形成している内筒部の上端部であってもよいし、該上端部付近に備えられた、ガラリ、水切りの通気部などであってもよい。８ｅは防虫網で、該防虫網８ｅは、アダプター８の接続用筒状部８ａの上端部に、該上端開口部の全体をカバーするように設けられている。
【００２２】
ダクト６の端部の接続は、アダプター８を屋根排気塔１内に取り付けた後、そのアダプター８にダクト６を接続するというようにしてもよいし、ダクト６を接続したアダプター８を屋根排気塔１内に取り付けるというようにしてもよい。
【００２３】
上記のシステムでは、通常時は、図４（イ）（ロ）に示すように、小屋裏３の空気が、自然換気により、ダクト６の周囲を通じて屋根排気塔１内に送り込まれ、アダプター８の張出し水平板部８ｂを越え、屋根排気塔１内の天井面部１ａで側方に向きを変え、屋根排気塔１の側面部に設けられた排気口１ｂを通じて外に排出される。
【００２４】
そして、夏期日中の窓を開けられない外出時の室内の高温の空気を、帰宅後、窓を開け放ち、図３（イ）（ロ）に示すように、ファン７を強にして勢いよくダクト６に送り込んでいくと、該空気は、ダクト６を通じて屋根排気塔１内に送り込まれ、該屋根排気塔１内の天井面部１ａで側方に向きを変え、その一部が、屋根排気塔１の側面部に設けられた排気口１ｂを通じて外に排出され、残る一部が小屋裏３のがわに送り込まれてしまうが、小屋裏３のがわに送り込まれてしまう空気は、その量が、アダプター８の張出し水平板部８ｂによる通過抑制作用によって少なく制限され、それによって、ダクト６を通じて排出される室内空気が屋根排気塔１内から小屋裏３のがわに送り込まれるのが抑制される。あるいは、屋根排気塔１内の天井面部１ａで側方に向きを変えた室内空気は、アダプター８の張出し水平板部８ｂによる通過阻止作用によって、その全部が、屋根排気塔１の側面部に設けられた排気口１ｂを通じて外に排出され、小屋裏３に室内空気が送り込まれるのが阻止される。
【００２５】
夏期の就寝時に、エアコンに頼らず、外の空気を室内に積極的に呼び込む場合も同様である。
【００２６】
なお、９はスイッチであり、スイッチ９は、マニュアルで操作する強弱切換え機能付きオンオフスイッチであってもよいし、あるいは、室４等に排熱用の外気取入れ口が備えられている場合は、図１（ニ）に示すように、室４内の温度が設定温度、例えば３０°Ｃを越えていると、ファン７を自動で強の排熱運転モードに保持し、その温度以下ではオフあるいは弱運転モードに保持する制御を行う温度スイッチなどであってもよい。
【００２７】
このように、上記のシステムでは、アダプター８のダクト接続用筒状部８ａに張出し水平板部８ｂが設けられ、ファン７の駆動による室内空気排出時、ダクト６を通じて排出される室内空気が屋根排気塔１内から小屋裏３のがわに送り込まれるのを、張出し水平板部８ｂが抑制ないしは阻止するようになされているので、室４内の空気を、ファン７を強にして勢いよくダクト６に送り込んでも、その室内空気が小屋裏３のがわに送り込まれてしまうのを効果的に抑制ないしは阻止することができて、小屋裏３の湿度を上昇させてしまうのを防ぐことができる。
【００２８】
しかも、屋根排気塔１内でのダクト６の端部の固定のため、ダクト接続用筒状部８ａを備えたアダプター８を採用し、このアダプター８の接続用筒状部８ａに張出し水平板部８ｂを設けた構成としていて、アダプター８に、屋根排気塔１内でのダクト６の端部の固定と、張出し水平板部８ｂの形成の両方の役割をもたせた構成としているので、室４内の空気が小屋裏３のがわに送り込まれてしまうのを、簡素な構成によって抑制ないしは阻止することができ、また、アダプター８を屋根排気塔１内に設置すれば、同時に、屋根排気塔１内に張出し水平板部８ｂが形成されて、張出し水平板部８ｂの形成を施工容易に行うことができる。
【００２９】
特に、アダプター８は、小屋裏３がわからのアクセスにより、掛止板部８ｃを屋根排気塔１内の排気通路１ｃの隅部に位置させながら上昇させ、回転変位させることにより、掛止板部８ｃが屋根排気塔１内の内壁面がわに進出して該内壁面がわに掛止され、取付け状態を形成するようになされているので、屋根排気塔１内へのアダプター８の取付け設置を、小屋裏３がわからのアクセスにより、施工容易に行うことができ、ひいては、かかるアダプター８を用いて、屋根排気塔１が既設のものであるか否かを問わず、該屋根排気塔１内でのダクト６の端部の固定を容易にすることができる。
【符号の説明】
【００３０】
１…屋根排気塔
１ａ…天井面部
１ｂ…排気口
１ｃ…排気通路
１ｄ…内壁面部
１ｅ…小屋裏換気用通路
３…小屋裏
４…室
６…ダクト
７…ファン
８…アダプター
８ａ…接続用筒状部
８ｂ…張出し水平板部
８ｃ…掛止板部（掛止部）
【図１】
0005864944.tif 000002
【図２】
0005864944.tif 000003
【図３】
0005864944.tif 000004
【図４】
0005864944.tif 000005